(57)【特許請求の範囲】
【請求項１】
媒体の表面を光学的に読み取る画像読取手段によって読み取られた画像であって、デバイス色空間で表現された画像に基づいて、前記媒体を形成する繊維により照合領域に現れる紋様を示す照合画像を取得する照合画像取得手段と、
前記媒体の種類を特定する特定手段と、
前記媒体の種類に対応する空間周波数より大きい空間周波数の空間周波数成分を低減するために前記特定手段により特定された種類に応じた平滑化処理を行うことによって、前記照合画像取得手段により取得された照合画像を平滑化する平滑化手段と、
前記平滑化手段により平滑化された照合画像と、登録画像と、を比較する比較手段と、
前記比較手段の比較結果に基づいて、予め定められた原本条件が満足されるか否かを判定する判定手段と、
を含むことを特徴とする画像処理装置。
【請求項２】
媒体の表面を光学的に読み取る画像読取手段によって読み取られた画像であって、デバイス色空間で表現された画像に基づいて、前記媒体を形成する繊維により照合領域に現れる紋様を示す照合画像を取得する照合画像取得手段、
前記媒体の種類を特定する特定手段、
前記媒体の種類に対応する空間周波数より大きい空間周波数の空間周波数成分を低減するために前記特定手段により特定された種類に応じた平滑化処理を行うことによって、前記照合画像取得手段により取得された照合画像を平滑化する平滑化手段、
前記平滑化手段により平滑化された照合画像と、登録画像と、を比較する比較手段、
前記比較手段の比較結果に基づいて、予め定められた原本条件が満足されるか否かを判定する判定手段、
としてコンピュータを機能させるプログラム。
【請求項３】
画像読取装置と、画像処理装置と、を含む画像処理システムであって、
前記画像読取装置は、
媒体の表面の像を示す画像であってデバイス色空間で表現された画像を前記媒体の表面から読み取り、
前記画像処理装置は、
前記画像読取装置によって読み取られた前記画像に基づいて、前記媒体を形成する繊維により照合領域に現れる紋様を示す照合画像を取得する照合画像取得手段と、
前記媒体の種類を特定する特定手段と、
前記媒体の種類に対応する空間周波数より大きい空間周波数の空間周波数成分を低減するために前記特定手段により特定された種類に応じた平滑化処理を行うことによって、前記照合画像取得手段により取得された照合画像を平滑化する平滑化手段と、
前記平滑化手段により平滑化された照合画像と、登録画像と、を比較する比較手段と、
前記比較手段の比較結果に基づいて、予め定められた原本条件が満足されるか否かを判定する判定手段と、を含むこと、
を特徴とする画像処理システム。
【発明の詳細な説明】
【技術分野】
【０００１】
本発明は、画像処理装置、画像処理システム及びプログラムに関する。
【背景技術】
【０００２】
下記、特許文献１には、媒体（例えば、紙）の表面に形成された繊維の紋様をスキャナで読み取り、当該紋様を示す画像を予め登録された画像と比較することによって、当該媒体の真贋を判定する装置が開示されている。
【先行技術文献】
【特許文献】
【０００３】
【特許文献１】特許第４１０３８２６号公報
【発明の概要】
【発明が解決しようとする課題】
【０００４】
本発明の目的は、デバイス色空間で表現された画像から、媒体の表面に形成された繊維の紋様を取得し、当該紋様を示す画像を予め登録された画像と比較することで当該媒体の真贋を判定する場合、におけるノイズの影響を抑制させることである。
【課題を解決するための手段】
【０００５】
上記課題を解決するための請求項１の発明は、媒体の表面を光学的に読み取る画像読取手段によって読み取られた画像であって、デバイス色空間で表現された画像に基づいて、前記媒体を形成する繊維により照合領域に現れる紋様を示す照合画像を取得する照合画像取得手段と、平滑化処理を行うことによって、前記照合画像取得手段により取得された照合画像を平滑化する平滑化手段と、前記平滑化手段により平滑化された照合画像と、登録画像と、を比較する比較手段と、前記比較手段の比較結果に基づいて、予め定められた原本条件が満足されるか否かを判定する判定手段と、を含むことを特徴とする画像処理装置である。
【０００６】
また、請求項２の発明は、請求項１の発明において、前記平滑化手段は、前記媒体の種類を特定する特定手段と、前記媒体の種類に対応する空間周波数より大きい空間周波数の空間周波数成分を低減するために前記特定手段により特定された種類に応じた平滑化処理を行うことによって、前記照合画像取得手段により取得された照合画像を平滑化する手段と、を含むことを特徴とする。
【０００７】
また、上記課題を解決するための請求項３の発明は、媒体の表面を光学的に読み取る画像読取手段によって読み取られた画像であって、デバイス色空間で表現された画像に基づいて、前記媒体を形成する繊維により照合領域に現れる紋様を示す照合画像を取得する照合画像取得手段、平滑化処理を行うことによって、前記照合画像取得手段により取得された照合画像を平滑化する平滑化手段、前記平滑化手段により平滑化された照合画像と、登録画像と、を比較する比較手段、前記比較手段の比較結果に基づいて、予め定められた原本条件が満足されるか否かを判定する判定手段、としてコンピュータを機能させるプログラムである。
【０００８】
また、上記課題を解決するための請求項４の発明は、画像読取装置と、画像処理装置と、を含む画像処理システムであって、前記画像読取装置は、媒体の表面の像を示す画像であってデバイス色空間で表現された画像を前記媒体の表面から読み取り、前記画像処理装置は、前記画像読取装置によって読み取られた前記画像に基づいて、前記媒体を形成する繊維により照合領域に現れる紋様を示す照合画像を取得する照合画像取得手段と、平滑化処理を行うことによって、前記照合画像取得手段により取得された照合画像を平滑化する平滑化手段と、前記平滑化手段により平滑化された照合画像と、登録画像と、を比較する比較手段と、前記比較手段の比較結果に基づいて、予め定められた原本条件が満足されるか否かを判定する判定手段と、を含むこと、を特徴とする。
【発明の効果】
【０００９】
請求項１、請求項３、請求項４の発明によれば、デバイス色空間で表現された画像から、媒体の表面に形成された繊維の紋様を取得し、当該紋様を示す画像を予め登録された画像と比較することで当該媒体の真贋を判定する場合におけるノイズの影響を、本構成を有しない場合と比較して、抑制させることができる。
【００１０】
請求項２の発明によれば、デバイス色空間で表現された画像から、媒体の表面に形成された繊維の紋様を取得し、当該紋様を示す画像を予め登録された画像と比較することで当該媒体の真贋を判定する場合におけるノイズの影響を、本構成を有しない場合と比較して、媒体の種類によらず抑制させることができる。
【図面の簡単な説明】
【００１１】
【図１】本発明の一実施形態に係る画像処理装置を含む画像処理システムの構成図である。
【図２】原稿用紙を例示する図である。
【図３】制御部が実行する処理を例示する図である。
【図４】ハードディスクに記憶されるデータを例示する図である。
【図５】データベースの記憶内容を例示する図である。
【図６】制御部が実行する処理を例示する図である。
【発明を実施するための形態】
【００１２】
以下、本発明の実施形態の例について図面に基づき詳細に説明する。
【００１３】
［画像処理システム］
図１は、本発明の一実施形態に係る画像処理装置を含む画像処理システム１の構成図である。画像処理システム１は、本発明の一実施形態に係る画像処理装置２と、データベース４と、を含む。画像処理装置２と、データベース４と、はネットワークを介して通信可能に接続されている。
【００１４】
［画像処理装置］
画像処理装置２は、例えば、複合機であり、図１に示すように、制御部６と、主記憶８と、ハードディスク１０と、操作入力部１２と、表示部１４と、ネットワークインタフェース１６（以下、「ネットワークＩＦ」と記載する）と、スキャナ１８（画像読取手段）と、を含む画像処理システムである。また、画像処理装置２は、これらの他にも、印刷を行う画像形成部なども含む。
【００１５】
制御部６は、例えばマイクロプロセッサであり、主記憶８に記憶されるプログラムに従って情報処理を実行する。
【００１６】
主記憶８は、例えばＲＡＭである。主記憶８には上記プログラムが格納される。このプログラムは、フレキシブルディスク、ＣＤ−ＲＯＭ、ＤＶＤ（登録商標）−ＲＯＭ、磁気テープ、ハードディスク、ＭＯ、ＭＤ、ＩＣカード等のコンピュータ読取可能な情報記憶媒体から読み出されて主記憶８に格納されてもよいし、インターネットなどの通信ネットワーク等の通信網から供給されて主記憶８に格納されてもよい。
【００１７】
また、主記憶８には情報処理の過程で必要となる各種データも格納される。
【００１８】
ハードディスク１０は、補助記憶装置として用いられる記憶媒体であり、各種情報が格納される。ハードディスク１０の記憶内容については後述する。
【００１９】
操作入力部１２は、ユーザが操作入力を行うためのインタフェースであり、ユーザの操作内容を示す信号を制御部６に出力する。
【００２０】
表示部１４は、例えば画像処理装置２の側面に設けられた液晶ディスプレイであり、制御部６から出力される情報を表示する。
【００２１】
ネットワークＩＦ１６は、画像処理装置２をネットワークと接続するためのインタフェースであり、例えば、ネットワークインタフェースカードである。ネットワークＩＦ１６は、ネットワークから受信した情報を制御部６に出力したり、制御部６から出力される情報をネットワークに送信する。
【００２２】
スキャナ１８は、複数の撮像センサ（ここでは、ＣＣＤセンサ）を備え、原稿用紙（媒体）の表面をスキャンし、原稿用紙の表面を光学的に読み取る。すなわち、原稿用紙の表面から原稿用紙の表面の像を読み取る。スキャナ１８は、原稿用紙の表面をスキャンし、読み取った画像（以下、「スキャン画像」と記載する）を制御部６へと出力する。
【００２３】
具体的には、スキャナ１８は、各ＣＣＤセンサから順次出力される画像信号をＡ／Ｄ変換し、スキャン画像に含まれる画素の画素値として、制御部６に供給する。Ａ／Ｄ変換された画像信号そのものがスキャン画像に含まれる画素の画素値となっており、スキャン画像はデバイス色空間で表現されている。ここで、デバイス色空間とは、スキャナやコピー機などの各種のデバイスに依存する色空間をいう。なお、スキャナ１８は、Ａ／Ｄ変換の際に、画素ごとに、該画素に応じたゲイン調整を行うようにしてよい。
【００２４】
なお、本実施形態の場合、スキャン画像の解像度が６００ｐｄｉになるようにスキャンを行うようになっている。
【００２５】
［データベース］
データベース４は、例えばデータベースサーバである。ここでは、データベース４は、画像処理装置２の外部に外部記憶装置として設けられているが、ハードディスク１０に構築されてよい。データベース４の意義については後述する。
【００２６】
［スキャンモードについて］
画像処理装置２には、例えば、印刷モード、通常モード、登録モード、及び照合モードを含む複数のスキャンモードが用意される。ユーザは、これらのうちのいずれかのスキャンモードを選択して、画像処理装置２に原稿用紙をスキャンさせる。
【００２７】
以下、「あるスキャンモードＸが選択された状態でスキャンを行うこと」を「スキャンモードＸでスキャンを行う」と記載する。
【００２８】
［印刷モード、通常モード］
印刷モードは、スキャン画像の印刷の際に選択される。また、印刷モードは、スキャン画像の複製の際に選択される。スキャナ１８が印刷モード又は通常モードで原稿用紙をスキャンした場合、制御部６は、スキャナ１８から出力されるスキャン画像を取得すると、このスキャン画像に対して予め定められた画像処理を施す。例えば、スキャン画像がデバイス色空間で表現されているので、スキャン画像の色空間をデバイス色空間からデバイス非依存色空間へと変換する画像処理を実行する。ここで、デバイス非依存色空間とは、スキャン画像が入力されたデバイスに依存しない色空間をいう。そして、制御部６は、スキャンモードが印刷モードである場合、画像処理が施されたスキャン画像に基づいて、スキャン画像の印刷を画像形成部に行わせ、スキャンモードが通常モードである場合、スキャン画像をハードディスク１０に格納する。
【００２９】
［登録モード］
登録モードは、原稿用紙を形成する繊維により表面に現れる紋様を登録する際に用いられる。例えば、ユーザは、登録モードで選択して画像処理装置２にスキャンを行わせる場合、図２に例示する原稿用紙をスキャナ１８にスキャンさせる。図２は、原稿用紙の一例である。原稿用紙の左上には予めコード画像２０が印刷されている。このコード画像２０は、原稿用紙の識別情報である用紙ＩＤが符号化されてなる画像である。なお、符号２２で示される領域、及び符号２４で示される領域の意義については後述する。
【００３０】
また、例えば、ユーザは、登録モードで選択して画像処理装置２にスキャンを行わせる場合、原稿用紙の素材種別を操作入力部１２で指定することも行う。例えば、ユーザは、予め定められた素材種別候補（普通紙、再生紙等）のうちで該当する素材種別を指定する。
【００３１】
このような状況下、スキャナ１８は登録モードで原稿用紙をスキャンし、そして、制御部６は、主記憶８に格納される上記プログラムに従って、図３に例示する処理を実行する。すなわち、制御部６は、スキャナ１８から出力されるスキャン画像を取得する（Ｓ１０１）。上述のように、スキャン画像はデバイス色空間で表現されている。
【００３２】
そして、制御部６は、スキャン画像に含まれるコード画像２０を解析することによって、原稿用紙の識別情報である用紙ＩＤを取得する（Ｓ１０２）。
【００３３】
そして、制御部６は、スキャン画像のうちから登録領域を切り出すことによって、登録画像を取得する（Ｓ１０３）。ここで、登録領域とは予め定められた画素範囲の領域であって、登録画像を取得するための領域であり、図２に示す領域２２に対応する。また、登録画像は、原稿用紙の識別情報である用紙ＩＤに対応付けて登録される画像であって、原稿用紙の原本性を判定するために用いられる。
【００３４】
そして、制御部６は、平滑化処理を実行することによって、登録画像を平滑化する（Ｓ１０４）。これにより制御部６は、登録画像に含まれる、個々のＣＣＤセンサに起因するノイズ（例えば、個々のＣＣＤセンサの劣化によるノイズ）を除去する。
【００３５】
例えば、制御部６は、登録画像を空間フィルタを用いてフィルタリングを行うことによって、登録画像を平滑化する。また、例えば、制御部６は、ガウシアンフィルタを用いてフィルタリングを行うことによって、登録画像を平滑化する。また、例えば、制御部６は、登録画像をフーリエ変換した後、基準空間周波数より大きい空間周波数を有する空間周波数成分を削除した上で逆フーリエ変換を行うことによって、登録画像を平滑化する。また、例えば、制御部６は、登録画像を縮小することによって、登録画像を平滑化する。
【００３６】
本実施形態の場合、制御部６は、ユーザが指定した素材種別に応じた平滑化処理を行うことによって、登録画像を平滑化する。具体的には、ハードディスク１０に、図４に例示するデータが記憶されている。図４に示すように、このデータは、素材種別ごとに平滑化制御データが関連づけられてなるデータであり、制御部６は、ユーザが指定した素材種別に関連づけられた平滑化制御データに基づいて平滑化処理を実行する。
【００３７】
例えば、一番目の手法で登録画像を平滑化する場合、図４に例示するデータには、平滑化に用いる空間フィルタが平滑化制御データとして含まれる。また、例えば、二番目の手法で登録画像を平滑化する場合、図４に示すデータには、ガウシアンフィルタを決定するための情報（例えば、ガウシアンフィルタの大きさ、及びガウス関数の標準偏差の値、を決定するための情報）が平滑化制御データとして含まれる。また、例えば、三番目の手法で登録画像を平滑化する場合、図４に示すデータには、上記基準空間周波数が平滑化制御データとして含まれる。また、例えば、四番目の手法で登録画像を平滑化する場合、図４に示すデータには縮小率が平滑化制御データとして含まれる。
【００３８】
ここで、各素材種別に関連づけられた平滑化制御データは、当該素材種別に対応する上記基準空間周波数より大きい空間周波数を有する空間周波数成分が軽減されるように設定されている。例えば、ある素材Ｘの原稿用紙を形成する繊維の紋様の主な空間周波数が空間周波数Ｘである場合、素材Ｘに関連づけられた平滑化制御データは、基準空間周波数Ｘより大きい空間周波数を有する空間周波数成分が軽減されるように設定されている。例えば、「普通紙」に関連づけられた平滑化制御データは、２００ｄｐｉより大きい空間周波数を有する空間周波数成分が軽減されるように設定されている。そのため、原稿用紙がどのような原稿用紙であっても、原稿用紙を形成する繊維の紋様の特徴が平滑化によって喪失されないようになっている。
【００３９】
また、スキャン画像（登録画像）の解像度が、どの素材の基準空間周波数よりも大きい解像度（すなわち、６００ｄｐｉ）になるようにスキャンが行われるようになっている。そのため、ＣＣＤセンサに起因するノイズの主な空間周波数がスキャン画像（登録画像）の解像度周辺になることを考慮すると、上述のようにして平滑化が行われ、且つ、スキャン画像（登録画像）の解像度が、どの素材の基準空間周波数よりも大きい解像度になるようにスキャンが行われることによって、ＣＣＤセンサに起因するノイズだけが除去され、原稿用紙を形成する繊維の紋様の特徴は失われないようになっている。
【００４０】
なお、制御部６は、平滑化処理を行うことによってスキャン画像を平滑化し、平滑化されたスキャン画像から登録領域を切り出すことによって、平滑化された登録画像を取得するようにしてよい。
【００４１】
Ｓ１０４のステップの実行後、制御部６は、平滑化が行われた登録画像をデータベース４に登録する（Ｓ１０５）。すなわち、制御部６は、平滑化が行われた登録画像と、ユーザが指定した素材種別と、Ｓ１０２のステップで取得した用紙ＩＤと、を関連づけて、データベース４に記憶させる。図５は、データベース４の記憶内容を例示する。
【００４２】
［照合モード］
照合モードは、原稿用紙の原本性（すなわち、真贋）を確認する際に用いられる。照合モードを選択して画像処理装置２にスキャンを行わせる場合も、ユーザは、図２に示す原稿用紙をスキャナ１８にスキャンさせる。但し、本実施形態の場合、ユーザは、原稿用紙の素材種別の指定は行わない。
【００４３】
このような状況下、スキャナ１８は照合モードで原稿用紙をスキャンし、そして、制御部６は、主記憶８に格納される上記プログラムに従って、図６に示す処理を実行する。すなわち、制御部６は、Ｓ１０１のステップと同様にして、スキャナ１８から出力されるスキャン画像を取得する（Ｓ２０１）。上述のように、スキャン画像は、デバイス色空間で表現されている。
【００４４】
そして、制御部６は、Ｓ１０２のステップと同様にして、原稿用紙の識別情報である用紙ＩＤを取得する（Ｓ２０２）。
【００４５】
そして、制御部６（平滑化手段、特定手段）は、原稿用紙の素材種別を特定する（Ｓ２０３）。具体的には、制御部６は、データベース４を参照し、原稿用紙の用紙ＩＤに関連づけられた素材種別を示す情報を取得する。
【００４６】
そして、制御部６（照合画像取得手段）は、スキャン画像のうちから照合領域を切り出すことによって、照合画像を取得する（Ｓ２０４）。ここで、照合領域とは予め定められた画素範囲の領域であって、照合画像を取得するための領域である。この照合領域は、登録領域を含む領域であり、図２に示す領域２４に対応している。また、照合画像とは、原稿用紙の原本性を判定するために、登録画像と照合される画像をいう。
【００４７】
そして、制御部６（平滑化手段）は、Ｓ１０４のステップと同様にして、平滑化処理を実行することによって、照合画像を平滑化する（Ｓ２０５）。これにより制御部６は、照合画像に含まれる、個々のＣＣＤセンサに起因するノイズ（例えば、個々のＣＣＤセンサの劣化によるノイズ）を除去する。
【００４８】
すなわち、例えば、制御部６は、Ｓ２０３のステップで特定した素材種別に応じた平滑化処理を行うことによって、照合画像を平滑化する。具体的には、制御部６、Ｓ２０３のステップで特定した素材種別に関連づけられた平滑化制御データに基づいて平滑化処理を実行する。
【００４９】
上述のように、各素材種別に関連づけられた平滑化制御データは、当該素材種別に対応する上記基準空間周波数より大きい空間周波数を有する空間周波数成分が軽減されるように設定されている。そのため、原稿用紙がどのような原稿用紙であっても、原稿用紙を形成する繊維の紋様の特徴が平滑化によって喪失されないようになっている。
【００５０】
また、上述のように、スキャン画像（照合画像）の解像度が、どの素材の基準空間周波数よりも大きい解像度（すなわち、６００ｄｐｉ）になるようにスキャンが行われるようになっている。そのため、ＣＣＤセンサに起因するノイズの主な空間周波数がスキャン画像（照合画像）の解像度周辺になることを考慮すると、上述のようにして平滑化が行われ、且つ、スキャン画像（照合画像）の解像度が、どの素材の基準空間周波数よりも大きい解像度になるようにスキャンが行われることによって、ＣＣＤセンサに起因するノイズだけが抑制され、原稿用紙を形成する繊維の紋様の特徴は失われないようになっている。
【００５１】
なお、制御部６は、平滑化処理を行うことによってスキャン画像を平滑化し、平滑化されたスキャン画像から照合領域を切り出すことによって、平滑化された照合画像を取得するようにしてよい。
【００５２】
Ｓ２０５のステップの実行後、制御部６（比較手段）は、用紙ＩＤに関連づけられた登録画像をデータベース４から読み出し、当該登録画像と、平滑化された照合画像とを比較する（Ｓ２０６）。
【００５３】
具体的には、制御部６は、特許第４１０３８２６号公報に記載されるようにして、登録画像を照合画像内で移動させながら、登録画像と、照合画像のうち登録画像と重なっている部分の画像（以下、部分画像）と、の相関値を以下の数式に従って順次算出する。こうして、制御部６は、複数の相関値を得る。この「複数の相関値」が比較結果に相当する。
【００５４】
【数１】
0005668358.tif 000002
【００５５】
【数２】
0005668358.tif 000003
【００５６】
ここで、Ｆは登録画像であり、Ｇは部分画像であり、ｆｉは登録画像の個々の画素の画素値であり、Ｎは登録画像（部分画像）の総画素数であり、ｇｉは部分画像の個々の画素の画素値であり、ｆＡｖｅは登録画像の個々の画素値の平均値であり、ｇＡｖｅは部分画像の個々の画素値の平均値である。
【００５７】
そして、制御部６（判定手段）は、原稿用紙の原本性（すなわち、真贋）を判定するために、登録画像と照合画像との比較結果に基づいて、原本条件が満足されるか否かを判定する（Ｓ２０７）。ここで、「原本条件」とは原稿用紙が本物（原本）であると判定するための条件である。「原本条件が満足される場合」に、原稿用紙が本物であると判定される。本実施形態の場合、「原本条件が満足される場合」とは、「Ｓ２０６のステップで得られた複数の相関値の最大値が第１基準値（例えば、０．３）以上であり、且つ、上記最大値から上記複数の相関値の平均値を減じた値を上記複数の相関値の標準偏差で除した値（以下、ノーマライズドスコアと呼ぶ）が第２基準値（例えば、０．５）以上である場合」である。原稿用紙が本物であるにも関わらず当該原稿用紙が偽物であると判定してしまう確率ＦＲＲ（False Refection Rate）、及び原稿用紙が偽物であるにも関わらず当該原稿用紙が本物であると判定してしまう確率ＦＡＲ（False Acceptance Rate）を低くするために、原本条件が満足されるための条件として、相関値の最大値が第１基準値以上であることだけでなく、ノーマライズドスコアが第２基準値以上であることも要求されている。
【００５８】
Ｓ２０７のステップでは、制御部６は、相関値の最大値が第１基準値以上であるか否かを判定する。また、制御部６は、上記ノーマライズドスコアが第２基準値以下であるか否かも判定する。こうすることにより、制御部６は、原本条件が満足されるか否か、すなわち、原稿用紙が本物であるか否かを判定する。
【００５９】
なお、制御部６は、Ｓ２０７のステップの後、原本条件が満足されるか否かを示す情報を、表示部１４に表示させる。例えば、制御部６は、原本条件が満足される場合、原稿用紙が本物である旨のメッセージを表示部１４に表示させ、原本条件が満足されない場合、原稿用紙が偽物である旨のメッセージを表示部１４に表示させる。
【００６０】
［まとめ］
このように、上記画像処理装置２では、照合画像の色空間をデバイス非依存色空間に変換せずにデバイス色空間のまま登録画像と比較するので、照合画像の色空間をデバイス非依存色空間に変換してから登録画像と比較する場合よりも処理負荷が軽減されるようになる。また、照合画像の色空間を変換せずに登録画像と比較する場合、照合画像に含まれるノイズの影響が懸念されるが、平滑化処理を行った上で照合画像を登録画像と比較するので、原稿用紙の真贋の判定結果に対するノイズの影響が抑止されるようになる。
【００６１】
また、上記画像処理装置２では、原稿用紙の素材種別に応じた平滑化処理が実行されるので、原稿用紙がどのようなものであっても、原稿用紙の真贋の判定精度が向上するようになる。
【００６２】
また、上記画像処理装置２では、照合画像だけでなく登録画像もデバイス色空間で表現されている点からも、原稿用紙の真贋の判定精度が向上するようになる。
【００６３】
なお、本発明の実施形態は上記実施形態だけに限らない。
【００６４】
例えば、「媒体」は、紙だけに限らない。例えば、「媒体」はプラスティック板でもよい。
【００６５】
また、画像処理システム１には、複数の画像処理装置２が含まれてよい。この場合において、登録画像の登録が複数の画像処理装置２のうちの第１の画像処理装置２で行われ、原稿用紙の真贋の判定が複数の画像処理装置２のうちの第２の画像処理装置２で行われてもよい。この場合、ユーザは、登録モードを選択して第１の画像処理装置２にスキャンを行わせ、その後、照合モードを選択して第２の画像処理装置２にスキャンを行わせるようにすればよい。
【００６６】
また、ユーザは、照合モードを選択して画像処理装置２にスキャンを行わせる際に、原稿用紙の素材種別を指定するようにしてもよい。この場合、制御部６（特定手段）は、Ｓ２０３のステップにおいて、ユーザの指定内容に基づいて原稿用紙の素材種別を特定すればよい。
【符号の説明】
【００６７】
１  画像処理システム、２  画像処理装置、４  データベース、６  制御部、８  主記憶、１０  ハードディスク、１２  操作入力部、１４  表示部、１６  ネットワークインタフェース、１８  スキャナ、２０  コード画像、２２，２４  領域。
【図１】
0005668358.tif 000004
【図２】
0005668358.tif 000005
【図３】
0005668358.tif 000006
【図４】
0005668358.tif 000007
【図５】
0005668358.tif 000008
【図６】
0005668358.tif 000009